(57)【要約】      （修正有）【課題】玩具を構成する各構成部材が分かれている分割状態から、各構成部材を連結させた連結状態に至るまでの一連の動作を見ることができ、使用者の興趣がわくような玩具を提供する。【解決手段】本体２０の第１保持部３３に保持された第１部品１２と本体２０の第２保持部４０に保持された第２部品１３とを、軸部３２により接近させて、第１部品１２の第１連結部１２２と第２部品１３の第２連結部１３２とを連結する。第１連結部１２２と第２連結部１３２との間の部品間連結力は、第１保持部３３における移動方向保持力よりも大きいので、軸部３２により第１保持部３３と第２保持部４０を離反させた際に、連結体１１は連結した状態を保つことができる。【選択図】図１
2019010137.tif 000002
【特許請求の範囲】
【請求項１】
本体と、
前記本体に支持され、第１部品を保持可能な第１保持部と、
前記本体に支持され、第２部品を保持可能な第２保持部と、
前記第１部品の第１連結部及び前記第２部品の第２連結部を互いに連結させるために、前記第１保持部及び前記第２保持部のうちの少なくとも一方を他方に向けて待機位置から連結位置まで前進可能であるとともに、前記連結位置から前記待機位置まで後退可能な移動手段と、を有し、
前記第１保持部及び前記第２保持部は、前記第１部品及び前記第２部品を保持可能であり、
前記第１連結部と前記第２連結部との間の部品間連結力は、第１保持部における保持力及び第２保持部における保持力の前記移動手段の移動方向に沿った移動方向保持力の少なくとも一方よりも大きい玩具。
【請求項２】
請求項１に記載の玩具であって、
前記移動手段は、前記本体に支持された筒部と、前記筒部に収容され、前記筒部の貫通方向に沿って摺動可能な軸部とを有し、
前記第１保持部が前記軸部に支持されている玩具。
【請求項３】
請求項２に記載の玩具であって、
前記第１保持部は、前記軸部の前記前進方向及び前記後退方向と平行な線に対して交差する方向、かつ、当該第１保持部に対する前記第１部品の保持方向に対して交差する方向に沿って弾性的に突没可能であるとともに、前記第１部品に設けられた凹部に係合可能な爪部を有し、
前記第２保持部は、前記前進方向及び前記後退方向と平行な線に対して交差するとともに、当該第２部品に対する前記第２保持部の保持位置よりも前記第１保持部に近い位置に設けられた壁部を有する玩具。
【請求項４】
請求項１ないし請求項３のうちのいずれか１項に記載の玩具であって、
前記第１連結部の連結方向と、前記第２連結部の連結方向とが互いに交差するように前記第１保持部及び前記第２保持部が配置されている玩具。
【請求項５】
請求項１ないし請求項４のうちのいずれか１項に記載の玩具であって、
前記第１保持部が前記本体及び当該第１保持部間に介装された回転軸を介して前記本体に連結されているとともに、前記第２保持部が複数設けられ、
前記各第２保持部が、前記回転軸の軸線を中心とする放射線に沿った所定位置において、それぞれが保持する前記第２部品の前記第２連結部の連結方向が前記回転軸の軸線がある方向を向くように配向されている玩具。
【発明の詳細な説明】
【技術分野】
【０００１】
本発明は、玩具に関する。
【背景技術】
【０００２】
複数の部品を組み合わせる過程を楽しむ玩具として、例えば頁部材の係合部に玩具を構成する構成部材の係合部を係合させて取り付け、構成部材を取り付けた頁部材をバインダーに支持させる本玩具が提案されている（例えば、特許文献１参照）。
【０００３】
特許文献１の本玩具は、本を閉じるようにバインダーを閉じると、頁部材は頁部材の嵌合部を介して連結されるとともに、頁部材に取り付けられている構成部材は、構成部材の嵌合部を介して連結され人形体を形成する。そして、人形体は連結した頁部材から取り出され、人形体として遊ぶことができるようになっている。
このような特許文献１の本玩具では、バインダーを閉じる前と開いたときとでは異なる世界が現れる新しい発想の本玩具とすることができる。
【先行技術文献】
【特許文献】
【０００４】
【特許文献１】特開２０１１-１９３９１１号公報
【発明の概要】
【発明が解決しようとする課題】
【０００５】
しかしながら、特許文献１の本玩具は、玩具を構成する各構成部材が分かれている分割状態から、バインダーを閉じて各構成部材を連結させた連結状態に至るまでの一連の動作が見えず、使用者の興趣が削がれるという問題があった。
【０００６】
本発明は、玩具を構成する各構成部材が分かれている分割状態から、各構成部材を連結させた連結状態に至るまでの一連の動作を見ることができ、使用者の興趣がわくような玩具を提供することを目的とする。
【課題を解決するための手段】
【０００７】
本発明に係る玩具は、本体と、前記本体に支持され、第１部品を保持可能な第１保持部と、前記本体に支持され、第２部品を保持可能な第２保持部と、前記第１部品の第１連結部及び前記第２部品の第２連結部を互いに連結させるために、前記第１保持部及び前記第２保持部のうちの少なくとも一方を他方に向けて待機位置から連結位置まで前進可能であるとともに、前記連結位置から前記待機位置まで後退可能な移動手段と、を有し、前記第１保持部及び前記第２保持部は、前記第１部品及び前記第２部品を保持可能であり、前記第１連結部と前記第２連結部との間の部品間連結力は、第１保持部における保持力及び第２保持部における保持力の前記移動手段の移動方向に沿った移動方向保持力の少なくとも一方よりも大きいことを特徴とする。
【０００８】
また、本発明に係る玩具においては、前記移動手段は、前記本体に支持された筒部と、前記筒部に収容され、前記筒部の貫通方向に沿って摺動可能な軸部とを有し、前記第１保持部が前記軸部に支持されていてもよい。
【０００９】
また、本発明に係る玩具においては、前記第１保持部は、前記軸部の前記前進方向及び前記後退方向と平行な線に対して交差する方向、かつ、当該第１保持部に対する前記第１部品の保持方向に対して交差する方向に沿って弾性的に突没可能であるとともに、前記第１部品に設けられた凹部に係合可能な爪部を有し、前記第２保持部は、前記前進方向及び前記後退方向と平行な線に対して交差するとともに、当該第２部品に対する前記第２保持部の保持位置よりも前記第１保持部に近い位置に設けられた壁部を有してもよい。
【００１０】
また、本発明に係る玩具においては、前記第１連結部の連結方向と、前記第２連結部の連結方向とが互いに交差するように前記第１保持部及び前記第２保持部が配置されていてもよい。
【００１１】
また、本発明に係る玩具においては、前記第１保持部が前記本体及び当該第１保持部間に介装された回転軸を介して前記本体に連結されているとともに、前記第２保持部が複数設けられ、前記各第２保持部が、前記回転軸の軸線を中心とする放射線に沿った所定位置において、それぞれが保持する前記第２部品の前記第２連結部の連結方向が前記回転軸の軸線がある方向を向くように配向されていてもよい。
【発明の効果】
【００１２】
本発明によれば、玩具を構成する各構成部材が分かれている分割状態から、各構成部材を連結させた連結状態に至るまでの一連の動作を見ることができ、使用者の興趣がわくような玩具を提供することができる。
【図面の簡単な説明】
【００１３】
【図１】本発明の実施形態である玩具の全体を示す斜視図である。
【図２】本発明の実施形態である玩具の平面図である。
【図３】第１部品と第１保持部の接合部を示す分解斜視図である。
【図４】(Ａ)は図３におけるＩＶＡ−ＩＶＡ位置の断面図であり、（Ｂ）は図３におけるＩＶＢ−ＩＶＢ位置の断面図である。
【図５】（Ａ）は第２部品と第２保持部の接合部を示す分解斜視図であり、（Ｂ）は（Ａ）中Ｂ−Ｂ位置の断面図である。
【図６】本発明の実施形態である玩具を用いて遊ぶ工程であり、第１部品を第１保持部に、第２部品を第２保持部に取り付ける状態を示す側面図である。
【図７】本発明の実施形態である玩具を用いて遊ぶ工程であり、第１部品を第１保持部に、第２部品を第２保持部に取り付けた状態を示す側面図である。
【図８】本発明の実施形態である玩具を用いて遊ぶ工程であり、第１部品を取付けた第１保持部を、第２部品を取付けた第２保持部に接近させて、第１部品と第２部品を連結して連結体を形成した状態を示す側面図である。
【図９】本発明の実施形態である玩具を用いて遊ぶ工程であり、第１保持部を後退させて第１保持部から第１部品を離脱させた状態を示す側面図である。
【図１０】本発明の実施形態である玩具を用いて遊ぶ工程であり、第２保持部から連結体を取り出した状態を示す側面図である。
【図１１】第１連結部の連結方向と第２連結部の連結方向とが互いに交差する状態を示す側面図である。
【発明を実施するための形態】
【００１４】
［本発明の実施の形態］
図１は、本発明の実施形態を説明するための、玩具１０の全体構成を示す斜視図であり、図２は玩具１０の平面図である。
図１及び図２に示すように、玩具１０は、本体２０を用いて第１部品１２と第２部品１３とを連結させて連結体１１を形成する遊びに用いられる。
なお、以後の説明においては、図１に示す方向を「前」、「後」、「左」、「右」、「上」、「下」として説明する。
【００１５】
まず、連結体１１を形成する第１部品１２について説明する。なお、図３には、第１部品と第１保持部の接合部が示されている。
図１及び図２に示すように、第１部品１２は、例えば球状の第１部品本体部１２１と、第１部品本体部１２１の前側（第２部品側）に設けられた例えば鍔状の第１連結部１２２を有する。図３にも示すように、第１連結部１２２の内部空間１２２ｂの内面には連結凹部１２２ａが設けられている。また、第１連結部１２２の下側には、矩形体状の第１部品取付部１２３が設けられており、第１部品取付部１２３の左右両側面には、矩形状の保持凹部（凹部）１２３ａが設けられている。
【００１６】
次に、連結体１１を形成する第２部品１３について説明する。図５（Ａ）は第２部品と第２保持部の接合部を示す分解斜視図であり、図５（Ｂ）は図５（Ａ）中Ｂ−Ｂ位置の断面図である。
図１、図５（Ａ）及び図５（Ｂ）に示すように、第２部品１３は、例えば円錐形状の第２部品本体部１３１と、第２部品本体部１３１の後側（第１部品側）に設けられた例えば円柱状の第２連結部１３２を有する。第２部品本体部１３１の下側には、角柱状やコ字形状等の第２部品取付部１３４が、開口を下向きにして下方に突出して設けられている。
【００１７】
第２連結部１３２の外周面には、第１部品１２の第１連結部１２２に設けられている連結凹部１２２ａに嵌合して、第１部品１２と第２部品とを連結する突部１３２ａが設けられている。図５（Ｂ）に示すように、突部１３２ａは、後側（すなわち、第１部品１２側）の第１斜面１３２ｂと、前側の第２斜面１３２ｃを有しており、常時、バネ１３３の弾性力により突出している。
【００１８】
したがって、第２部品１３の第２連結部１３２を、第１部品１２の第１連結部１２２の内部空間１２２ｂに挿嵌して、第１連結部１２２と第２連結部１３２とを連結することにより連結体１１が形成される。連結時には、第２部品１３の突部１３２ａの第１斜面１３２ｂが押し込まれるので突部１３２ａが埋没し、突部１３２ａが第１部品１２の第１連結部１２２に設けられている連結凹部１２２ａに達すると、バネ１３３の復帰力により突出して嵌合する。これにより、第１部品１２と第２部品１３が連結される。
【００１９】
第１部品１２と第２部品１３との間の部品間連結力は、第１部品１２と第２部品１３とを切り離すときに必要な力であり、突部１３２ａの第２斜面１３２ｃの第２連結部１３２の外周面に対する傾きに対応して決定される。例えば、第２斜面１３２ｃを第２連結部１３２の外周面に対して直交するように設けた場合には、第１部品１２と第２部品１３を切り離しができなくなる。また、第２斜面１３２ｃの傾斜角度を小さくすると、第１部品１２と第２部品１３とを容易に切り離すことができる。
【００２０】
次に、本体２０について説明する。
図１及び図２に示すように、玩具１０は、本体２０を有する。本体２０は、例えば矩形箱状の本体部２１を有しており、本体部２１は、複数個（ここでは、例えば４個）の車輪２２によって移動可能に支持されている。
【００２１】
本体部２１の上面２１１は、前後方向に長い平面状を呈しており、後端部には上面２３１が平坦な台座２３が固定されて設けられている。台座２３の上面２３１には、円柱状の回転軸２４が植設されており、回転軸２４の上端は上面２３１から上方に突出している。回転軸２４には、筒部３０が回転軸２４の軸線２４１周りを所定角度回動可能に設けられている。筒部３０には、前後方向に貫通する摺動孔３１が設けられている。摺動孔３１には、軸部（移動手段）３２が前後方向に摺動可能に支持されており、軸部３２の前後端には、それぞれ前端板３２１及び後端板３２２が取り付けられている。したがって、軸部３２は、前端板３２１が筒部３０の前端面に当接する後位置（以後、「待機位置」と言う。）から、後端板３２２が筒部３０の後端面に当接する前位置（以後、「連結位置」と言う。）まで往復移動可能となっている。
【００２２】
図１に示すように、前端板３２１の前面には、第１部品１２を保持可能な第１保持部３３が設けられている。第１保持部３３は、第１部品１２の第１部品本体部１２１を支持する支持部材３３１と、第１部品１２を保持する保持部材３３２を有する。支持部材３３１は、球状の第１部品本体部１２１を下側から支持するために、上方が開口した断面コ字形状の部材である。
【００２３】
図３は第１部品と第１保持部の接合部を示す分解斜視図であり、図４(Ａ)は図３におけるＩＶＡ−ＩＶＡ位置の断面図であり、図４（Ｂ）は図３におけるＩＶＢ−ＩＶＢ位置の断面図である。
図３及び図４に示すように、保持部材３３２は、上面に第１部品１２の第１部品取付部１２３が嵌合する嵌合凹部３３２ａが設けられている。嵌合凹部３３２ａは、第１部品取付部１２３の形状に対応して矩形状をしており、左右両内面には第１保持突部（爪部）３４が出没可能に設けられている。
【００２４】
図４（Ａ）及び図４（Ｂ）に示すように、第１保持突部３４は、連結方向に直交する方向（左右方向）に切断した断面が台形状を呈しており、先端上部には嵌合凹部３３２ａの内側に向かって下方に傾斜する突部斜面３４１が設けられている。第１保持突部３４は、アーム３５の前端に取り付けられている。アーム３５は、第１保持突部３４の後方で、回転軸３５１によって水平面に沿って回動可能に支持されており、左右のアーム３５の後端部は、バネ部材３６によって互いに離反する方向（図４（Ｂ）中矢印Ａ参照）へ付勢されている。これにより、第１保持突部３４は、常時、突出する方向（図４（Ｂ）中矢印Ｂ参照）に付勢される。
【００２５】
したがって、図４（Ａ）に示すように、第１部品１２を下降させて、第１部品取付部１２３を第１保持部３３の嵌合凹部３３２ａに嵌合させると、第１部品取付部１２３の下面角部が第１保持突部３４の突部斜面３４１に沿って下降する。このため、第１保持突部３４は嵌合凹部３３２ａの外側へ押し出されるので（図４（Ａ）中矢印Ｃ参照）、第１部品１２は下降できる。そして、第１部品１２の保持凹部１２３ａが第１保持突部３４の位置に達すると、第１保持突部３４がバネ部材３６の復帰力により突出して保持凹部１２３ａに嵌合する。これにより、第１部品１２を第１保持部３３に取り付けることができる。
なお、第１保持突部３４の下面には傾斜面がないので、第１部品１２を上方へ離脱させることはできない。
【００２６】
また、図４（Ｂ）に示すように、第１保持突部３４の後端部は、後方に向かってアーム３５側に傾斜する後部傾斜面３４２が設けられて細くなっている。このため、第１部品取付部１２３が嵌合凹部３３２ａに嵌合して第１保持部３３に保持されている第１部品１２を、第１保持部３３に対して前方へ移動させると、後部傾斜面３４２が保持凹部１２３ａの後部角部によって押し込まれる。このため、第１保持突部３４は嵌合凹部３３２ａの外側へ押し出されるので（図４（Ｂ）中矢印Ｄ参照）、第１部品１２は前方へ移動して、第１保持部３３から離脱することができる。このときの離脱に必要な力、すなわち第１保持部３３の前後方向の移動方向保持力は、後部傾斜面３４２の傾斜角度によって設定される。
なお、第１保持突部３４の前端面は、前後方向に直交する垂直面となっているので、第１部品１２を後方へ移動させることはできない。
【００２７】
このように構成するので、第１保持部３３に対して上方から第１部品１２の第１部品取付部１２３を嵌合凹部３３２ａに嵌合させ、嵌合凹部３３２ａの第１保持突部３４を第１部品取付部１２３の保持凹部１２３ａに嵌合させることにより、第１部品１２を第１保持部３３により保持することができる。また、第１部品１２を第１保持部３３に対して前方へ移動させると、後部傾斜面３４２の作用により第１保持突部３４が嵌合凹部３３２ａから脱するので、第１部品１２を第１保持部３３から前方へ取り外すことができる。
【００２８】
図１及び図２に示すように、本体２０上面２１１の前端部には、後端部に設けられている回転軸２４の軸線２４１を中心とした円弧Ｒ上に、複数（ここでは、３個）の第２保持部４０が設けられている。各第２保持部４０に保持される第２部品１３それぞれの連結方向は、第１保持部３３の回転軸２４の軸線２４１がある方向に向いている（本実施形態では第１保持部３３の回転軸２４に向いている）。各第２保持部４０は、異なる第２部品１３に対して保持できるような構造となっている。以下の説明では、例えば中央に設けられている第２保持部４０について例示する。
【００２９】
図５（Ａ）は第２部品と第２保持部の接合部を示す分解斜視図であり、図５（Ｂ）は図５（Ａ）中Ｂ−Ｂ位置の断面図である。
図５（Ａ）に示すように、第２保持部４０は、平面状のベース４１と、このベース４１の前端部に立設された立壁４２とを有し、全体Ｌ字形状を呈している。立壁４２の上端面には、第２部品１３の第２部品本体部１３１を下方から支持する円弧状の切欠き４２１が設けられている。ベース４１の上面には、中央付近に、第２部品１３の第２部品取付部１３４が嵌合する第２部品取付柱４３が設けられている。第２部品取付柱４３は、第２部品取付部１３４の内部空間の大きさ及び形状に対応しており、例えば四角柱を用いることができる。また、ベース４１の後端部には、壁部４４が設けられている。壁部４４は、第２部品１３が第２保持部４０によって保持された際に、第２部品取付部１３４の後方に位置し、第２部品１３の後方への移動を規制する（図７参照）。
【００３０】
したがって、第２部品１３は、第２部品取付部１３４を第２保持部４０の第２部品取付柱４３に外嵌させ、第２部品本体部１３１を立壁４２の切欠き４２１に載置することにより第２保持部４０に保持される。
なお、第２保持部４０の後方向の移動方向保持力は、壁部４４が第２部品１３の移動を阻止するので、第１保持部３３の保持力及び第１部品１２と第２部品１３との間の部品間連結力よりも大きい。
【００３１】
次に、玩具１０を用いた遊び方について説明する。図６〜図１０には、遊び方の各工程が示されている。
まず、図６に示すように、軸部３２を後端部の待機位置まで移動させ、第１部品１２を第１保持部３３に、第２部品１３を第２保持部４０に取り付けて保持する。
なお、このとき、軸部３２の軸線を、第２部品１３を保持している第２保持部４０（例えば、図１における中央の第２保持部４０）に向けておく（図２参照）。
【００３２】
次いで、図７に示すように、第１部品１２を、第１部品取付部１２３の保持凹部１２３ａに第１保持部３３の第１保持突部３４が嵌合するまで押し込む。これにより、第１部品１２は第１保持部３３に保持される。この状態では、第１部品１２は第１保持部３３から上方へ離脱することはできない（図４（Ａ）参照）。また、第１部品１２は後方へ移動することもできないが（図４（Ｂ）参照）、移動方向保持力以上の力が作用すれば前方へは離脱可能となっている。また、第２部品１３は、第２部品取付部１３４を第２保持部４０の第２部品取付柱４３に外嵌して保持されているので、第２部品１３は、上方へのみ移動可能である。特に、第２部品取付部１３４の後方には壁部４４があるので、第２部品１３は、後方への移動が阻止されている。
【００３３】
図８に示すように、軸部３２を筒部３０の摺動孔３１に沿って前方へ移動させ、第１部品１２の第１連結部１２２の内部空間１２２ｂに、第２部品１３の第２連結部１３２を挿嵌する。そして、第２部品１３の第２連結部１３２に設けられている突部１３２ａが、第１部品１２の第１連結部１２２に設けられている連結凹部１２２ａに挿嵌されるまで、第１部品１２を第２部品１３に接近させる。これにより、第１部品１２と第２部品１３とが連結して、連結体１１が形成される。このとき、軸部３２の軸線の方向である第１連結部１２２の連結方向（図１１中一点鎖線Ａ）は、第２連結部の連結方向（図１１中一点鎖線Ｂ）と互いに交差する。すなわち、第１部品１２は、軸部３２の連結方向への移動に伴って、下方へ移動するようになっている。
【００３４】
次いで、図９に示すように、軸部３２を後退させて（図９中矢印Ａ参照）、待機位置に戻る。このとき、第２部品１３は壁部４４により後方への移動が阻止されているので移動しない。一方、第１部品１２と第２部品１３との間の部品間連結力は、第１保持部３３が第１部品１２の前方への離脱を阻止している移動方向保持力よりも大きい。このため、軸部３２を移動方向保持力よりも大きな力で後方へ移動させると、第１部品１２は第１保持部３３から離脱し、連結体１１は第２保持部４０に残る。
【００３５】
そして、図１０に示すように、完成した連結体１１を上方へ移動させて（図１０中矢印Ａ参照）、第２部品１３を第２保持部４０から離脱させる。これにより、完成した連結体１１を取り出すことができる。
【００３６】
次に、本実施形態に係る玩具１０の作用、効果について説明する。
本実施形態に係る玩具１０では、本体２０の第１保持部３３に保持された第１部品１２と本体２０の第２保持部４０に保持された第２部品１３とを、軸部３２により接近させて、第１部品１２の第１連結部１２２と第２部品１３の第２連結部１３２とを接近させる。第１保持部３３及び第２保持部４０は、それぞれ軸部３２の前進方向及び後退方向に対して交差する方向に沿って、第１部品１２及び第２部品１３を保持しているので、第１部品１２の第１連結部１２２と第２部品１３の第２連結部１３２とを接近させることにより連結して連結体１１を形成することができる。
【００３７】
また、第１連結部１２２と第２連結部１３２との間の部品間連結力は、第１保持部３３における移動方向保持力及び第２保持部４０における移動方向保持力の少なくとも一方よりも大きいので、軸部３２により第１保持部３３と第２保持部４０を離反させた際に、第１部品１２または第２部品１３のいずれか一方は第１保持部３３または第２保持部４０から離脱し、連結体１１は第１部品１２と第２部品１３が連結した状態を保つことができる。これにより、連結体１１を構成する各構成部材（第１部品１２と第２部品１３）が分かれている分割状態から、各構成部材を連結させた連結状態（連結体１１が完成した状態）に至るまでの一連の動作を見ることができ、使用者の興趣がわくような玩具１０を提供することができる。
【００３８】
また、本実施形態に係る玩具１０は、本体２０に支持された筒部３０と、筒部３０に収容され、筒部３０の貫通方向に沿って摺動可能な軸部３２とを有し、第１保持部３３が軸部３２に支持されている。このため、軸部３２に支持されている第１保持部３３は第２保持部４０に対して接近、離反可能であり、第１保持部３３に保持されている第１部品１２は、第２部品１３に対して接近、離反可能となる。
【００３９】
また、本実施形態に係る玩具１０では、第１保持部３３は、軸部３２の前進方向及び後退方向と平行な線に対して交差する方向、かつ、第１保持部３３に対する第１部品１２の保持方向に対して交差する方向に沿って弾性的に突没可能な第１保持突部３４を有する。第１部品１２には、第１保持部３３の第１保持突部３４が係合可能な保持凹部１２３ａを有する。このため、第１保持突部３４が保持凹部１２３ａに係合することにより、第１部品１２は第１保持部３３に保持される。
【００４０】
また、第２保持部４０は、前進方向及び後退方向と平行な線に対して交差する壁部４４を、第２保持部４０の保持位置よりも第１保持部３３に近い位置に設けられている。このため、第２保持部４０に保持される第２部品１３は、第１保持部３３に接近する方向に対して、壁部４４により移動を阻止される。
【００４１】
また、本実施形態に係る玩具１０では、第１連結部１２２の連結方向と、第２連結部１３２の連結方向とが互いに交差している。例えば、第１連結部１２２の連結方向を、第２連結部１３２の連結方向に対して下向きにすると、第１連結部１２２と第２連結部１３２との連結時に、第１連結部１２２により第２連結部１３２を下方向に押さえつけるようにして連結されるため、連結時に第２部品１３が第２保持部４０から浮き上がってしまうことを防止できるので、適正に連結することができる。
【００４２】
また、本実施形態に係る玩具１０では、第１保持部３３が回転軸２４を介して本体２０に回転可能に連結されており、第２保持部４０は、回転軸２４の軸線２４１を中心とする放射線に沿った所定位置に複数設けられて、各第２保持部４０に保持されている第２連結部１３２それぞれの連結方向は回転軸２４の軸線２４１がある方向を向くように（本実施形態では、回転軸２４の軸線２４１に向くように）配向されている。このため、第１部品１２を各第２部品１３の連結方向に正対させることができ、使用者は第１保持部３３を回転させて任意の第２部品１３の連結方向に正対させ、第１保持部３３に保持された第１部品１２と当該任意の第２部品１３を連結させることができる。また、第１部品１２を第１保持部３３に保持させ、任意の第２部品１３の連結方向に正対させ、互いに連結させることを、第１保持部３３を回転軸２４の軸線２４１周りに回転させ、当該第１保持部３３に保持されている第１部品１２の第１連結部１２２と当該任意の第２部品１３の第２連結部１３２とを接近させることで次々に行うことができ、複数の連結体１１を次々に形成する遊びをすることができる。
【００４３】
本発明の玩具１０は、前述した実施形態に限定されるものでなく、適宜な変形、改良等が可能である。
例えば、前述した実施形態においては、台座を３つ設けた場合について説明したが、台座の個数は限定するものではない。４個以上でも可能である。
また、第２保持部４０を第１保持部３３と同様の構成にして、第２部品１３を保持するようにすることもできる。ただし、この場合にも、壁部４４を設ける。
【符号の説明】
【００４４】
１０  玩具
１２  第１部品
１２２  第１連結部
１２３ａ  保持凹部（凹部）
１３  第２部品
１３２  第２連結部
２０  本体
２４  回転軸
２４１  軸線
３０  筒部
３２  軸部（移動手段）
３３  第１保持部
３４  第１保持突部（爪部）
４０  第２保持部
４４  壁部
【図１】
2019010137.tif 000003
【図２】
2019010137.tif 000004
【図３】
2019010137.tif 000005
【図４】
2019010137.tif 000006
【図５】
2019010137.tif 000007
【図６】
2019010137.tif 000008
【図７】
2019010137.tif 000009
【図８】
2019010137.tif 000010
【図９】
2019010137.tif 000011
【図１０】
2019010137.tif 000012
【図１１】
2019010137.tif 000013